(57)【要約】【課題】  原稿画像の向きとインデックス紙のタブ位置との関係が適正な出力結果を得られる画像形成装置を提供する。【解決手段】  インデックス紙を格納する給紙トレイ部５と、原稿画像の画像データを入力する画像読取部１と、その画像データに基づいてインデックス紙上に原稿画像を形成するプリンタ部８０と、後処理装置ＦＳとを有する。更に、後処理に関する設定入力に基づいて原稿画像の画像データを回転させる画像回転部６１４と、給紙トレイ部５に格納されたインデックス紙のタブ位置を設定入力するためのタブ位置設定ボタン１４３、１４４と、画像回転部６１４による画像データの回転状態及び設定入力されたタブ位置に基づいて、インデックス紙の格納方向の適否を判断する判断部６１０と、格納方向が不適切と判断されたときに警告メッセージを表示するＬＣＤ７１（操作部７０）とを備える。【選択図】      図３
2007017704.tif 000002
【特許請求の範囲】
【請求項１】
インデックス紙を格納する格納手段と、前記格納されたインデックス紙を搬送する搬送手段と、原稿画像の画像データを入力する原稿入力手段と、前記入力された原稿画像の画像データに基づいて、前記搬送されたインデックス紙上に前記原稿画像を形成する画像形成手段と、前記原稿画像が形成されたインデックス紙に後処理を施す後処理手段と、前記後処理に関する設定入力を行うための後処理設定手段とを有する画像形成装置であって、
前記後処理に関する設定入力に基づいて、前記原稿入力手段により入力された原稿画像の画像データを回転させる画像回転手段と、
前記格納手段におけるインデックス紙の格納方向を設定入力するための格納方向設定手段と、
前記画像回転手段による前記画像データの回転状態と、前記設定入力されたインデックス紙の格納方向とに基づいて、該格納方向の適否を判断する判断手段と、
前記判断手段により前記格納方向が不適切であると判断されたときに警告メッセージを表示する表示手段と、
を備えることを特徴とする画像形成装置。
【請求項２】
前記後処理手段は、前記画像形成手段により原稿画像が形成されたインデックス紙にパンチ穴を形成し、
前記後処理設定手段は、前記後処理手段によるパンチ位置を設定入力するためのパンチ位置設定手段を含み、
前記判断手段は、
前記設定入力されたパンチ位置に基づいて、前記画像回転手段による画像データの回転の要否を判断する回転判断手段を含み、
前記回転判断手段による判断結果と、前記設定入力されたインデックス紙の格納方向とに基づいて、該格納方向の適否を判断する、
ことを特徴とする請求項１に記載の画像形成装置。
【請求項３】
前記後処理手段は、前記画像形成手段により原稿画像が形成されたインデックス紙に対してステープルを施し、
前記後処理設定手段は、前記後処理手段によるステープル位置を設定入力するためのステープル位置設定手段を含み、
前記判断手段は、
前記設定入力されたステープル位置に基づいて、前記画像回転手段による画像データの回転の要否を判断する回転判断手段を含み、
前記回転判断手段による判断結果と、前記設定入力されたインデックス紙の格納方向とに基づいて、該格納方向の適否を判断する、
ことを特徴とする請求項１に記載の画像形成装置。
【請求項４】
前記判断手段は、
前記回転判断手段による判断結果に対応するインデックス紙の格納方向を取得する格納方向取得手段と、
前記格納方向取得手段により取得された格納方向と、前記格納方向設定手段により設定入力された格納方向とが一致するか否かを判断する格納方向判断手段と、を含み、
一致すると前記判断された場合には前記設定入力された格納方向は適切であると判断し、一致しないと前記判断された場合には前記設定入力された格納方向は不適切であると判断する、
ことを特徴とする請求項２又は請求項３に記載の画像形成装置。
【請求項５】
前記画像回転手段は、前記回転判断手段により画像データの回転が必要と判断されたことに対応して、前記原稿画像の画像データを１８０°回転させることを特徴とする請求項２〜請求項４のいずれか一項に記載の画像形成装置。
【請求項６】
前記インデックス紙の格納方向は、前記格納手段に格納されたインデックス紙のタブの位置によって表されることを特徴とする請求項１〜請求項５のいずれか一項に記載の画像形成装置。
【請求項７】
前記表示手段により表示される警告メッセージは、当該インデックス紙に対して前記原稿画像を形成しない旨のメッセージ、及び／又は、当該インデックス紙の格納方向を変更するよう指示するメッセージを含むことを特徴とする請求項１〜請求項６のいずれか一項に記載の画像形成装置。
【発明の詳細な説明】
【技術分野】
【０００１】
本発明は、記録紙上に画像を形成する複写機やプリンタ等の画像形成装置に関し、特に、画像形成装置によりインデックス紙上に画像を適正な向きで形成するための技術に関するものである。
【背景技術】
【０００２】
インデックス紙（タブ紙とも呼ばれる。）Ｐは、図１５に示すように、長方形状の記録紙の縁端の一部に突出形状のタブＰａが形成されたものであり、ファイリング時の章区切り等に用いられている。
【０００３】
インデックス紙Ｐ上に画像を形成する場合、原稿の種類（ポートレート、ランドスケープ）や、原稿画像の上下方向や、ステープル、パンチ等の綴じ位置などに応じた画像回転の影響を考慮する必要がある。すなわち、インデックス紙Ｐに対する画像形成処理において画像の回転を適用する場合、インデックス紙Ｐ上に形成された画像の向きに対してタブＰａが所望の位置に配置されている必要がある。下記の特許文献１、２には、このような観点から考案された画像形成装置が開示されている。
【０００４】
特許文献１の画像形成装置は、画像の向きとタブ位置とを関連付けて指定し、インデックス紙の印刷画像の向きと他の指定モード（画像回転を伴うモード；ステープルモード、パンチモード等）に適合した印刷画像の向きとを対比判断し、それぞれの画像の向きが矛盾しているときに、他の指定モードを解除するとともに指定した画像の向きとタブ位置の指定により印刷を実行するようになっている。このように、特許文献１の画像形成装置は、画像の向きに対するタブの位置の適否を判断して印刷を行うものである。
【０００５】
一方、特許文献２の画像形成装置は、インデックス紙に画像を形成する場合に、画像回転を伴うモードを制限して印刷を実行するものである。
【０００６】
このような従来の画像形成装置では、インデックス紙上の画像の向きとタブの位置と所望の関係にならない場合であっても、画像回転を伴うモードもしくはタブ位置の指定のいずれかを優先して印刷出力を実行するようになっているため、ユーザが所望するものとは異なる出力結果が得られるおそれがある。
【０００７】
また、画像の向きとインデックス紙のタブ位置との関係自体を修正することなく、いずれかのモードを優先して実際に印刷出力を行うため、インデックス紙を浪費してしまうという問題もある。なお、この印刷出力の結果を参考にして画像の向きとタブ位置との関係を修正することは、一般ユーザには困難と考えられる。
【０００８】
【特許文献１】特開２００４−１０９５０７号公報
【特許文献２】特開２００２−１５２４４２号公報
【発明の開示】
【発明が解決しようとする課題】
【０００９】
本発明は、このような事情に鑑みてなされたもので、画像回転を伴うモードをインデックス紙の印刷出力に適用する場合に、原稿画像の向きとタブの位置との関係が適正な出力結果を得ることが可能な画像形成装置を提供することを目的とする。
【００１０】
また、本発明は、画像回転を伴うモードをインデックス紙の印刷出力に適用する場合におけるインデックス紙の浪費を回避可能な画像形成装置を提供することを他の目的としている。
【課題を解決するための手段】
【００１１】
上記目的を達成するために、請求項１に記載の発明は、インデックス紙を格納する格納手段と、前記格納されたインデックス紙を搬送する搬送手段と、原稿画像の画像データを入力する原稿入力手段と、前記入力された原稿画像の画像データに基づいて、前記搬送されたインデックス紙上に前記原稿画像を形成する画像形成手段と、前記原稿画像が形成されたインデックス紙に後処理を施す後処理手段と、前記後処理に関する設定入力を行うための後処理設定手段とを有する画像形成装置であって、前記後処理に関する設定入力に基づいて、前記原稿入力手段により入力された原稿画像の画像データを回転させる画像回転手段と、前記格納手段におけるインデックス紙の格納方向を設定入力するための格納方向設定手段と、前記画像回転手段による前記画像データの回転状態と、前記設定入力されたインデックス紙の格納方向とに基づいて、該格納方向の適否を判断する判断手段と、前記判断手段により前記格納方向が不適切であると判断されたときに警告メッセージを表示する表示手段と、を備えることを特徴とする。
【００１２】
また、請求項２に記載の発明は、請求項１に記載の画像形成装置であって、前記後処理手段は、前記画像形成手段により原稿画像が形成されたインデックス紙にパンチ穴を形成し、前記後処理設定手段は、前記後処理手段によるパンチ位置を設定入力するためのパンチ位置設定手段を含み、前記判断手段は、前記設定入力されたパンチ位置に基づいて、前記画像回転手段による画像データの回転の要否を判断する回転判断手段を含み、前記回転判断手段による判断結果と、前記設定入力されたインデックス紙の格納方向とに基づいて、該格納方向の適否を判断する、ことを特徴とする。
【００１３】
また、請求項３に記載の発明は、請求項１に記載の画像形成装置であって、前記後処理手段は、前記画像形成手段により原稿画像が形成されたインデックス紙に対してステープルを施し、前記後処理設定手段は、前記後処理手段によるステープル位置を設定入力するためのステープル位置設定手段を含み、前記判断手段は、前記設定入力されたステープル位置に基づいて、前記画像回転手段による画像データの回転の要否を判断する回転判断手段を含み、前記回転判断手段による判断結果と、前記設定入力されたインデックス紙の格納方向とに基づいて、該格納方向の適否を判断する、ことを特徴とする。
【００１４】
また、請求項４に記載の発明は、請求項２又は請求項３に記載の画像形成装置であって、前記判断手段は、前記回転判断手段による判断結果に対応するインデックス紙の格納方向を取得する格納方向取得手段と、前記格納方向取得手段により取得された格納方向と、前記格納方向設定手段により設定入力された格納方向とが一致するか否かを判断する格納方向判断手段と、を含み、一致すると前記判断された場合には前記設定入力された格納方向は適切であると判断し、一致しないと前記判断された場合には前記設定入力された格納方向は不適切であると判断する、ことを特徴とする。
【００１５】
また、請求項５に記載の発明は、請求項２〜請求項４のいずれか一項に記載の画像形成装置であって、前記画像回転手段は、前記回転判断手段により画像データの回転が必要と判断されたことに対応して、前記原稿画像の画像データを１８０°回転させることを特徴とする。
【００１６】
また、請求項６に記載の発明は、請求項１〜請求項５のいずれか一項に記載の画像形成装置であって、前記インデックス紙の格納方向は、前記格納手段に格納されたインデックス紙のタブの位置によって表されることを特徴とする。
【００１７】
また、請求項７に記載の発明は、請求項１〜請求項６のいずれか一項に記載の画像形成装置であって、前記表示手段により表示される警告メッセージは、当該インデックス紙に対して前記原稿画像を形成しない旨のメッセージ、及び／又は、当該インデックス紙の格納方向を変更するよう指示するメッセージを含むことを特徴とする。
【発明の効果】
【００１８】
本発明に係る画像形成装置は、後処理手段による後処理に関する設定入力に基づいて原稿画像の画像データを回転させる画像回転手段と、格納手段におけるインデックス紙の格納方向を設定入力するための格納方向設定手段と、画像回転手段による画像データの回転状態及び設定入力されたインデックス紙の格納方向に基づいて、インデックス紙の格納方向の適否を判断する判断手段と、インデックス紙の格納方向が不適切であると判断されたときに警告メッセージを表示する表示手段とを備えている。
【００１９】
したがって、ユーザは、表示された警告メッセージにより、インデックス紙の格納方向が不適切であることを認識でき、適切な格納方向に修正することができる。それにより、原稿画像の向きとタブの位置との関係が適正な出力結果を得ることが可能となり、また、インデックス紙の浪費を回避することが可能となる。
【発明を実施するための最良の形態】
【００２０】
本発明に係る画像形成装置の好適な実施形態の一例について、図面を適宜参照しながら詳細に説明する。
【００２１】
［装置構成］
図１は、本実施形態の画像形成装置の概略構成を表す装置断面図である。同図に示す画像形成装置は、画像形成装置本体ＧＨと後処理装置（フィニッシャ）ＦＳとを含んで構成されている。なお、図示は省略するが、大量の記録紙を格納して給紙を行う大容量給紙装置などを更に設けることができる。
【００２２】
画像形成装置本体ＧＨには、画像読取部１、画像処理部２、画像書込部３、画像形成部４、給紙トレイ部５、大容量給紙部６、定着処理部７、排紙部８及び自動両面コピー給紙部９がそれぞれ設けられている。一方、後処理装置ＦＳには、後述のステープル処理やパンチ（穿孔）処理等の後処理を実行するための構成が設けられている。
【００２３】
給紙トレイ部５には、複数の給紙トレイが設けられている。これら複数の給紙トレイには、用紙サイズや種類の異なる記録紙ＣＰがそれぞれ格納される。各給紙トレイは、図１の紙面手前側に引き出すことができる。ユーザは、所望の給紙トレイを手前に引き出した状態で記録紙ＣＰの補充を行う。この給紙トレイ部５は、本発明の「格納手段」の一例に相当するものである。
【００２４】
大容量給紙部６は、図１の紙面右方向に引き出すことができ、ユーザは、大容量給紙部６を右方向に引き出した状態で記録紙ＣＰの補充を行う。
【００２５】
画像形成装置本体ＧＨの上部には、自動原稿送り装置ＤＦが搭載されている。画像形成装置本体ＧＨの図示の左側面の排紙部８側には、後処理装置ＦＳが連結されている。
【００２６】
自動原稿送り装置ＤＦの原稿台上に載置された原稿ＧＫは図中の矢印方向に搬送されて画像読取部１に送られる。画像読取部１のＣＣＤイメージセンサ１Ａは、その原稿ＧＫの片面又は両面の画像（原稿画像）を読み取る。
【００２７】
また、自動原稿送り装置ＤＦの下側には原稿ステージＧＳが設けられている。ＣＣＤイメージセンサ１Ａは、原稿ステージＧＳに載置された原稿の下面側の画像（原稿画像）を読み取るようになっている。
【００２８】
ＣＣＤイメージセンサ１Ａは、読み取った原稿画像をアナログ信号に光電変換し、画像データとして出力する。このような画像読取部１は、原稿画像の画像データを入力する、本発明の「原稿入力手段」の一例に相当する。
【００２９】
ＣＣＤイメージセンサ１Ａから出力されたアナログ信号は、後述の制御部６０（図２参照）によってアナログ処理、Ａ／Ｄ変換、シェーディング補正、画像圧縮処理等が施され、そのデジタル信号として画像書込部３に伝送される。
【００３０】
画像処理部２は、後述のクライアントＰＣ９０（図２参照）等から要求される印刷ジョブ（原稿画像の画像データ）を受け付けて処理する。この印刷ジョブは、所定の処理が施されて画像書込部３に送られる。この画像処理部２も、本発明の「原稿入力手段」の一例に相当するものである。
【００３１】
画像書込部３は、画像読取部１が読み取った画像の画像データや、画像処理部２が受け付けた印刷ジョブの画像データなどに基づいて半導体レーザを制御し、その出力光を画像形成部４の感光体ドラムに照射して潜像を形成する。
【００３２】
画像形成部４は、帯電、露光、現像、転写、分離、及びクリーニング等の処理を行って、感光体ドラム上の潜像を記録紙ＣＰに転写する。この記録紙ＣＰは、給紙トレイ部５あるいは大容量給紙部６から複数のローラ（図１参照。なお符号は省略。）により搬送されて、画像形成部４に供給される。この複数のローラは、本発明の「搬送手段」の一例である。
【００３３】
画像が転写された記録紙ＣＰは、定着処理部７により定着処理が施された後に、排紙ローラ８により後処理装置ＦＳに搬送される。
【００３４】
なお、記録紙ＣＰの両面に画像を形成する場合には、片面に画像が定着された記録紙ＣＰは、搬送路切り替え板８Ａによって自動両面コピー給紙部９に送られる。自動両面コピー給紙部９は、この記録紙ＣＰを画像形成部４に搬送する。この記録紙ＣＰは、画像形成部４に再び搬送され、前回とは逆側の面に画像が転写され、定着処理を経て後処理装置ＦＳに搬送される。また、搬送路切り替え板８Ａは、画像が形成された記録紙ＣＰを自動両面コピー給紙部９への搬送路に一旦引き入れ、排紙ローラ８に向けてスイッチバックさせるように動作する。それにより、搬送される記録紙ＣＰの向きが逆転される。
【００３５】
後処理装置ＦＳには、穿孔手段１０、シフト手段１１、中間スタッカ１２、ステープラ１４が設けられている。
【００３６】
穿孔手段１０は、ファイル用の孔（パンチ穴）を記録紙ＣＰに形成するように構成されている。この穿孔手段１０は、パンチ位置等に関する設定条件に従って、記録紙ＣＰの縦辺部又は横辺部にパンチ穴を形成する。なお、この設定条件は、画像形成装置本体ＧＨの操作部ＯＰや、ネットワーク等を介して画像形成装置本体ＧＨに接続されたクライアントＰＣ９０などにて設定される。
【００３７】
シフト手段１１は、順次搬送されてくる記録紙ＣＰを、部ごとに排紙位置を変えて排紙させる処理ユニットである。排紙位置を何枚ごとにシフトさせるかは、操作部ＯＰやクライアントＰＣ９０からの設定に従う。
【００３８】
ステープラ１４は、中間スタッカ１２に蓄積された記録紙ＣＰの束を針で綴じる処理を実行する。１部として綴じる記録紙ＣＰの枚数や、ステープルを施す位置（縦辺部、横辺部、角部）や、部数等の処理条件は、操作部ＯＰやクライアントＰＣ９０にて設定される。
【００３９】
後処理装置ＦＳには、更に、昇降排紙トレイ２３が設けられている。この昇降排紙トレイ２３は、後処理装置ＦＳから排出された記録紙ＣＰを蓄積するためのトレイであり、上下に移動可能に構成されている。
【００４０】
このような後処理装置ＦＳが行う処理について、各処理モードごとに簡単に説明する。処理モードとしては、たとえば、記録紙ＣＰのパンチ穴を形成するパンチモード、記録紙ＣＰの排紙位置を部単位でシフトさせるシフトモード、記録紙ＣＰを部単位で綴じるステープルモードなどがある。
【００４１】
なお、処理モードが設定されていない場合には、画像形成装置ＧＨにより画像が形成された記録紙ＣＰは、搬入部Ａ、共通搬送路Ｂ、搬送路Ｃを順次経由して、昇降排紙トレイ２３あるいは図示しない固定排紙トレイ上に排紙される。
【００４２】
ここで、共通搬送路Ｂは、搬入部Ａからローラ３０、穿孔手段１０及びローラ３１を経由して分岐機構３９に至る経路である。また、搬送路Ｃは、分岐機構３９からシフト手段１１を経由して排紙ローラ３３に至る経路である。
【００４３】
なお、搬送路Ｄ、Ｅは、ステープラ１４による処理を施す場合に、記録紙ＣＰを中間スタッカ１２に案内する経路を形成する。搬送路Ｄは、分岐機構３９からローラ３４、３５、３６を経由する経路である。また、搬送路Ｅは、ローラ３６によって上方に向けて搬送された記録紙ＣＰが下方に落下してストッパＥＡに保持されるまでの経路である。
【００４４】
さて、パンチモードが設定されている場合、後処理装置ＦＳは、搬入部Ａより搬入された記録紙ＣＰに対して穿孔手段１０によりパンチ穴を形成する。このとき、穿孔手段１０は、搬入されてきた記録紙ＣＰのたとえば進行方向後側にパンチ穴を形成するようになっている。後処理装置ＦＳは、パンチ穴が形成された記録紙ＣＰを、搬送路Ｃ経由で昇降排紙トレイ２３に排紙する。なお、パンチモードとともにステープルモードが設定されている場合には、その記録紙ＣＰを搬送路Ｄ、Ｅ経由で搬送してステープル処理を施してから昇降排紙トレイ２３に排紙する。
【００４５】
シフトモードが設定されている場合、後処理装置ＦＳは、搬入部Ａより搬入された記録紙ＣＰを共通搬送路Ｂ経由で搬送路Ｃに送り、シフト手段１１によってシフト処理した後に、昇降排紙トレイ２３に排紙する。
【００４６】
ステープルモードが設定されている場合、搬入部Ａより搬入された記録紙ＣＰを共通搬送路Ｂ経由で搬送路Ｄ、搬送路Ｅに送る。それにより、記録紙ＣＰは、ストッパＥＡによりその下端が揃えられた状態で中間スタッカ１２に保持されて、設定部数だけ集積される。ステープラ１４は、集積された記録紙ＣＰの束に対してステープル処理を行う。ステープル処理が完了すると、ストッパＥＡを上方に移動させて記録紙ＣＰの束を押し上げ、排紙ローラ３３により昇降排紙トレイ２３に排紙する。
【００４７】
［制御系の構成］
次に、本実施形態の画像形成装置の制御系の構成について、図２及び図３を参照しつつ説明する。以下、当該画像形成装置の制御系のハードウェア構成について図２のブロック図を参照して説明し、続いて、その機能的構成について図３のブロック図を参照して説明する。なお、図３は、図２に示す画像制御部６１の内部構成及びその周辺の構成を表している。
【００４８】
［ハードウェア構成］
図２に示すように、画像読取部１には、前述のＣＣＤイメージセンサ１Ａと、画像読取部１各部を制御する制御部１Ｂとが設けられている。
【００４９】
画像処理部２には、ＬＡＮ等のネットワークを介してクライアントＰＣ９０と通信する通信インターフェイス（Ｉ／Ｆ）２Ｄが設けられている。また、画像処理部２には、クライアントＰＣ９０から要求される印刷ジョブに関する制御を行う制御部２Ａと、その印刷ジョブの画像データを記憶する画像メモリ（ＤＲＡＭ）２Ｃと、この画像メモリ２Ｃに対する画像データ等の記憶処理及び読出処理を制御するＤＲＡＭ制御部２Ｂとが設けられている。
【００５０】
プリンタ部８０は、本発明の「画像形成手段」の一例に相当し、図１に示した画像書込部３及び画像形成部４を含んで構成される。このプリンタ部８０には、レーザ光を出力する半導体レーザ（ＬＤ）８１と、画像データに基づいて半導体レーザ８１を駆動制御する制御部８２とが設けられている。また、図示は省略するが、半導体レーザ８１からの出力光は、画像形成部４の感光体ドラムに照射されて画像データに基づく潜像を形成する。
【００５１】
制御部６０は、画像読取部１、プリンタ部８０、操作部７０などの装置各部の動作制御を行うものである。この制御部６０には、主として、画像制御部（ＣＰＵ）６１、読取処理部６５、書込処理部６７、ＤＲＡＭ制御部６２及び画像メモリ（ＤＲＡＭ）６４が設けられている。
【００５２】
画像メモリ６４には、圧縮された画像データを格納する圧縮メモリと、圧縮前の画像データを格納するページメモリとが設けられている（図示省略）。
【００５３】
画像制御部６１は、画像読取部１の制御部１Ｂ、操作部７０の制御部７２（後述）、プリンタ部８０の制御部８２、及びＤＲＡＭ制御部６２にそれぞれ接続されている。画像制御部６１は、これらの各制御部の動作制御を行う。
【００５４】
ＤＲＡＭ制御部６２は、画像処理部２のＤＲＡＭ制御部２Ｂや圧縮部６６から受けた画像データを画像メモリ６４に格納する処理や、画像メモリ６４から読み出した画像データを圧縮部６６や伸長部６８に転送する処理などを行う。ＤＲＡＭ制御部６２は、ＩＣチップ等により構成される。
【００５５】
このＤＲＡＭ制御部６２と画像処理部２のＤＲＡＭ制御部２Ｂとは、ＰＣＩバス（Ｐｅｒｉｐｈｅｒａｌ  Ｃｏｍｐｏｎｅｎｔｓ  Ｉｎｔｅｒｃｏｎｎｅｃｔ  ｂｕｓ）等により接続されている。
【００５６】
読取処理部６５は、ＣＣＤイメージセンサ１Ａにより光電変換されたアナログ信号を処理してデジタル画像データを作成し、それを圧縮部６６に出力する。圧縮部６６は、画像データを圧縮してＤＲＡＭ制御部６２に出力する。
【００５７】
伸長部６８は、圧縮された画像データをＤＲＡＭ制御部６２から受けると、その画像データを伸長して書込み処理部６７に出力する。書込み処理部６７は、伸長された画像データを記録紙ＣＰへの書込み用画像として処理し、プリンタ部８０に出力する。
【００５８】
不揮発性メモリ６３は、画像制御部６１等により実行される各種の制御プログラムや、画像形成装置の各種機能に応じた制御データ等をあらかじめ記憶している。
【００５９】
操作部７０は、当該画像形成装置のユーザインターフェイスとして使用されるものである。この操作部７０は、各種のテキストデータや画像データに基づく画面を表示する表示機能と、ユーザによる情報入力を受け付ける入力機能とを備えており、例えばタッチパネル方式の液晶ディスプレイ（ＬＣＤ）７１等のフラットパネルディスプレイを具備している。このＬＣＤ７１は、本発明の「表示手段」の一例に相当し、制御部７２に駆動されて各種の画面やメッセージ等を表示する。一方、入力操作は、ＬＣＤ７１にソフトキーとして表示されるカーソルキー、数字入力キー、各種機能キーなどをユーザが指し示すことにより行う。その入力内容は、制御部７２により電気信号として画像制御部６１に伝送される。
【００６０】
なお、画像形成装置の操作や設定入力は、クライアントＰＣ９０からも行うことが可能である。
【００６１】
後処理装置ＦＳには、前述した穿孔手段１０、シフト手段１１及びステープラ１４に加えて、これら各手段の動作を制御するＦＳ制御部１６が設けられている。ＦＳ制御部１６は、プリンタ部８０の制御部８２からの制御信号に基づいて、後処理装置ＦＳ各部の動作制御を行う。穿孔手段１０とステープラ１４は、それぞれ、本発明の「後処理手段」の一例に相当する。
【００６２】
［機能的構成］
制御部６０の画像制御部６１には、図３に示すように、画像回転部６１４、印刷制御部６１５及び操作Ｉ／Ｆ制御部６１６が設けられている。
【００６３】
（画像回転部）
画像回転部６１４は、画像読取部１や画像処理部２から入力された原稿画像の画像データを回転させる処理を行うもので、本発明の「画像回転手段」の一例に相当する。この画像回転部６１４は、後述の回転判断部６１１により画像データの回転が必要と判断されたときに、当該画像データを１８０°回転させる。
【００６４】
（印刷制御部）
印刷制御部６１５は、プリンタ部８０及び後処理装置ＦＳの動作制御を行う。なお、後処理装置ＦＳの制御は、プリンタ部８０を介して行うようになっている。
【００６５】
（操作Ｉ／Ｆ制御部）
操作Ｉ／Ｆ（インターフェイス）制御部６１６は、操作部７０の制御、特に、ＬＣＤ７１に表示させる画面のデータ供給や、ＬＣＤ７１（タッチパネル式の入力操作デバイスである。）からの操作信号に対応する処理などを行う。
【００６６】
（表示画面について）
ここで、ＬＣＤ７１の表示画面の一例を説明する（図４〜図１１参照）。図４〜図９は、印刷出力に関わる各種設定（特に用紙に関わる設定）を行うための表示画面の一例を表す。図４は用紙設定画面１１０を、図５はトレイ設定画面１２０を、図６は用紙サイズ設定画面１３０を、図７はインデックス紙設定画面１４０を、図８はステープル位置設定画面１５０を、図９は穿孔位置設定画面１６０を、それぞれ表している。また、図１０、図１１は、印刷出力を実行するときの表示画面の一例を表す。図１０は印刷操作画面１７０を、図１１は用紙設定操作画面１８０を、それぞれ表している。
【００６７】
図４に示す用紙設定画面１１０は、ＬＣＤ７１の表示画面中の左側領域に設けられた設定メニュー表示部１００中の用紙設定ボタン１０３が押下されたことに対応して、表示画面中の右側領域に表示される。
【００６８】
なお、設定メニュー表示部１００の管理者設定ボタン１０１は、当該画像形成装置の管理者が各種設定の入力を受け付ける管理者設定画面（図示せず）を表示させるために操作されるボタンである。また、環境設定ボタン１０２は、当該画像形成装置の使用環境に関する各種設定の入力を受け付ける環境設定画面（図示せず）を表示させるために操作されるボタンである。また、終了ボタン１０４は、設定メニューによる設定操作を終了するために押下される。
【００６９】
さて、図４の用紙設定画面１１０には、トレイ設定ボタン１１１とＰＩ設定ボタン１１２とが設けられている。トレイ設定ボタン１１１は、給紙トレイ部５に格納された記録紙ＣＰに関する条件設定を行うために押下されるボタンである。このトレイ設定ボタン１１１を押下すると、ＬＣＤ７１の表示が図５のトレイ設定画面１２０に切り替わる。また、ＰＩ設定ボタン１１２は、連続的に出力される記録紙ＣＰの間に白紙（カバーシート）を挿入する機構を後処理装置ＦＳが具備する場合に、類似サイズ（たとえばＡ４Ｒサイズと、８．５×１１Ｒサイズ）のカバーシートのうちのいずれを自動検知するか選択する画面を表示させるために押下されるボタンである。この用紙設定画面１１０のウィンドウを閉じるには、「閉じる」ボタン１１３を押下する。
【００７０】
図５に示すトレイ設定画面１２０には、給紙トレイ部５の複数（ここでは４つ）の給紙トレイを択一的に選択するためのトレイ選択ボタン１２１（「トレイ１」ボタン〜「トレイ４」ボタン）が設けられている。このトレイ選択ボタン１２１にて所望の給紙トレイを選択すると、その給紙トレイに格納された記録紙ＣＰ（用紙）に関する設定条件が表示部１２２に表示される。ここで表示される設定条件としては、用紙のサイズ、名称、色、倍率、パンチ穴などがある。また、表示部１２２には、表示された設定条件を変更するために押下される設定変更ボタン１２３が配設されている。更に、トレイ設定画面１２０には、用紙サイズを設定するためのサイズ設定ボタン１２４が設けられている。このサイズ設定ボタン１２４を押下すると、ＬＣＤ７１の表示が図６の用紙サイズ設定画面１３０に切り替わる。このトレイ設定画面１２０のウィンドウを閉じるには、「閉じる」ボタン１２５を押下する。
【００７１】
図６に示す用紙サイズ設定画面１３０には、記録紙ＣＰの各種サイズを選択設定するためのサイズ選択ボタン１３１（「定型サイズ」ボタン、「不定形サイズ」ボタン、「ワイド紙」ボタン、「インデックス紙」ボタン）が設けられている。更に、類似サイズの記録紙ＣＰのうちのいずれを自動検知するか設定するための検知サイズ設定ボタン１３２が設けられている。サイズ選択ボタン１３１の「インデックス紙」ボタンを押下すると、ＬＣＤ７１の表示が図７のインデックス紙設定画面１４０に切り替わる。この用紙サイズ設定画面１３０のウィンドウを閉じるには、「閉じる」ボタン１３３を押下する。
【００７２】
図７に示すインデックス紙設定画面１４０には、インデックス紙のサイズを設定するための複数のボタンが配列されたサイズ設定部１４１と、インデックス紙のタブに関する設定を行うためのタブ設定部１４２とが設けられている。
【００７３】
サイズ設定部１４１には、インデックス紙の各種定型サイズ・不定形サイズに相当するサイズ設定ボタン（「１１×１７Ｔ」ボタン、「Ａ３Ｔ」ボタン、「Ｂ３Ｔ」ボタン等）が配設されている。ここで、「Ｔ」は、タブ紙（インデックス紙）を表す略号である。また、サイズ設定部１４１には、使用するインデックス紙のサイズを手動入力するための画面を表示させるための「サイズ入力」ボタンが設けられている。
【００７４】
タブ設定部１４２には、給紙トレイ部５の給紙トレイに格納されるインデックス紙のタブの位置を設定入力するためのタブ位置設定ボタン１４３、１４４が設けられている。なお、本実施形態の画像形成装置では、搬送方向の後側にタブが位置するようにインデックス紙を給紙トレイ部５に格納するようになっている。すなわち、図１において、紙面に向かって左側にタブが位置するようにインデックス紙を給紙トレイ部５に格納するようになっている。
【００７５】
タブ位置設定ボタン１４３は、給紙トレイを手前に引き出したときの奥側（装置奥側；図１の紙面奥側）にタブを配置させた状態でインデックス紙を格納するときに押下されるボタンである。一方、タブ位置設定ボタン１４４は、給紙トレイを手前に引き出したときの手前側（装置手前側；図１の紙面手前側）にタブを配置させた状態でインデックス紙を格納するときに押下されるボタンである。
【００７６】
このような、給紙トレイ部５におけるインデックス紙の格納方向を設定するためのボタンは新規なものであり、本発明の特徴の一つである。これらタブ位置設定ボタン１４３、１４４は、本発明の「格納方向設定手段」の一例に相当するものである。
【００７７】
インデックス紙設定画面１４０のタブ設定部１４２には、更に、使用するインデックス紙のタブの個数を設定入力するためのタブ個数入力ボタン１４５が設けられている。このタブ個数入力ボタン１４５による設定結果は、タブ個数表示部１４６に表示される。
【００７８】
このインデックス紙設定画面１４０にて行った設定の変更を適用せずにウィンドウを閉じるには、キャンセルボタン１４７を押下する。また、インデックス紙設定画面１４０にて行った設定変更を適用するには、ＯＫボタン１４８を押下する。
【００７９】
図８に示すステープル位置設定画面１５０には、本発明の「ステープル位置設定手段」及び「後処理設定手段」の一例に相当する複数のボタンが配設されている。具体的には、ステープルを１カ所に施す場合については、ステープル位置として記録紙ＣＰの左上の角位置を選択するための左上ステープルボタン１５１と、右上の角位置を選択するための右上ステープルボタン１５２とが設けられている。また、ステープルを２カ所に施す場合については、ステープル位置として記録紙ＣＰの左側端を選択するための左ステープルボタン１５３と、上端を選択するための上ステープルボタン１５４と、右側端を選択するための右ステープルボタン１５５とが設けられている。このステープル位置設定画面１５０は、図１０の印刷操作画面１７０の仕上りボタン１７３を押下すると展開表示される。
【００８０】
図９に示す穿孔位置設定画面１６０には、本発明の「パンチ位置設定手段」及び「後処理設定手段」の一例に相当する複数のボタンが配設されている。具体的には、パンチ穴を２カ所に施す場合については、パンチ位置（穿孔位置）として記録紙ＣＰの左側端を選択するための左パンチボタン１６１と、右側端を選択するための右パンチボタン１６２と、上端を選択するための上パンチボタン１６３とが設けられている。また、パンチ穴を３カ所に施す場合については、パンチ位置として記録紙ＣＰの左側端を選択するための左パンチボタン１６４と、右側端を選択するための右パンチボタン１６５と、上端を選択するための上パンチボタン１６６とが設けられている。この穿孔位置設定画面１６０は、図１０の印刷操作画面１７０の仕上りボタン１７３を押下すると展開表示される。
【００８１】
図１０に示す印刷操作画面１７０は、印刷実行時の各種設定条件を表示する画面である。ユーザは、この印刷操作画面１７０に表示された設定条件を確認し、図示しない印刷実行ボタンを押下することで、印刷出力を実行させる。
【００８２】
この印刷操作画面１７０には、設定条件を変更するためのボタンが配設されている。それらボタンのうちの用紙条件設定ボタン１７１を押下すると、図９の用紙設定操作画面１８０が展開される。
【００８３】
また、設定変更ボタン１７２を押下すると、図４等に示した設定メニュー表示部１００が表示され、図４〜図７に示した表示画面による設定操作を行うことができる。
【００８４】
また、仕上りボタン１７３は、前述したように、ステープル位置設定画面１５０や穿孔位置設定画面１６０を表示させるためのボタンである。ステープルモードが設定された印刷ジョブを行うときに仕上りボタン１７３を押下すると、ステープル位置設定画面１５０が表示される。一方、パンチモードが設定された印刷ジョブを行うときに仕上りボタン１７３を押下すると、穿孔位置設定画面１６０が表示される。
【００８５】
図１１に示す用紙設定操作画面１８０は、用紙条件設定ボタン１７１から展開された用紙設定部１８１を有している。この用紙設定部１８１には、給紙トレイ部５に格納されている記録紙ＣＰの種類やサイズを設定するためのボタンが各給紙トレイ毎に設けられている。同図に示す設定条件においては、給紙トレイ部５の給紙トレイ１にＡ４サイズのインデックス紙が格納されている。このインデックス紙に画像を印刷する場合には、この給紙トレイ１のボタンを押下する。
【００８６】
この用紙設定部１８１による設定内容を適用するには、ＯＫボタン１８２を押下する。また、その設定内容を適用しない場合や他の条件を設定する場合には、他の設定条件のボタンを押下する。以上で、表示画面についての説明を終了し、画像制御部６１の説明に戻る。
【００８７】
〔判断部〕
画像制御部６１は、インデックス紙に画像を形成する場合に、そのインデックス紙が給紙トレイ部５に適切な格納方向で格納されているか否かを判断する判断部６１０を具備している。この判断部６１０は、本発明の「判断手段」の一例に相当し、画像回転部６１４による画像データの回転状態（画像データ回転処理の処理内容）と、設定入力されたインデックス紙の格納方向とに基づいて、そのインデックス紙の格納方向の適否を判断するように構成されている。
【００８８】
そのために、判断部６１０には、回転判断部６１１、格納方向取得部６１２及び格納方向判断部６１３が設けられている。
【００８９】
（回転判断部）
回転判断部６１１は、本発明の「回転判断手段」の一例に相当し、ステープル位置設定画面１５０にて設定入力されたステープル位置、もしくは、穿孔位置設定画面１６０にて設定入力されたパンチ位置に基づいて、原稿画像の画像データを１８０°回転させるか否かを判断する。なお、本実施形態では、インデックス紙のタブを原稿画像の上方向に位置させるように画像回転の要否を判断するものとする（原稿画像の下方向にタブを配置させる場合については、後述の［変形例］の項にて説明する。）。
【００９０】
ところで、インデックス紙は、その側端部（左側又は右側の縁端）にタブが形成されているので、インデックス紙に対するステープル位置やパンチ位置はタブの反対側とされる。また、ステープル位置については、インデックス紙の角位置に施されることも無いと考えられる。
【００９１】
したがって、インデックス紙にステープルを施す場合には、図８のステープル位置設定画面１５０のボタンのうち、左ステープルボタン１５３又は右ステープルボタン１５５が選択設定される。また、インデックス紙にパンチを施す場合には、図９の穿孔位置設定画面１６０のボタンのうち、左パンチボタン１６１、右パンチボタン１６２、パンチボタン１６４又は右パンチボタン１６５が選択設定される。すなわち、インデックス紙に対するステープル位置やパンチ位置は、左側又は右側に設定される。
【００９２】
さて、画像形成装置を複写機として使用する場合、原稿画像の上方向を装置奥側に配置させるようにして原稿ＧＫを自動原稿送り装置ＤＦや原稿ステージＧＳに載置させるのが通常である。そこで、インデックス紙に画像を形成する場合において、回転判断部６１１は、画像形成面に対してステープル位置又はパンチ位置が左側である場合には画像データの回転は不要であると判断し、右側である場合には画像データの１８０°回転が必要であると判断する。
【００９３】
なお、原稿画像の上下を自動識別する構成を適用する場合や、原稿画像の上下をユーザが手入力する構成を適用する場合、回転判断部６１１は、その識別結果や入力結果を更に参照して画像データの１８０°回転の要否を判断する。すなわち、原稿画像の上方向が装置奥側に配置するように原稿ＧＫが載置されていると識別／入力された場合には、上記と同様に、ステープル位置等が左側のときは回転不要と判断し、右側のときには回転必要と判断する。一方、原稿画像の上方向が装置手前側に配置するように原稿ＧＫが載置されていると識別／入力された場合（つまり、原稿ＧＫが通常とは逆向きに載置されている場合）には、逆に、ステープル位置等が左側のときは回転必要と判断し、右側のときには回転不要と判断する。
【００９４】
なお、クライアントＰＣ９０から送信される原稿についても、原稿画像には上下方向が設定されているので、回転判断部６１１は、複写機使用時と同様に画像データ回転の要否の判断を行う。
【００９５】
（格納方向取得部）
格納方向取得部６１２は、回転判断部６１１による判断結果に応じたインデックス紙の格納方向を取得する、本発明の「格納方向取得手段」の一例に相当する。
【００９６】
この格納方向取得部６１２は、回転判断部６１１により画像データの回転が必要と判断されたときには、給紙トレイ部５に格納されるインデックスのタブ位置は装置手前側であるとする。逆に、回転判断部６１１により画像データの回転が不要と判断されたときには、給紙トレイ部５に格納されるインデックスのタブ位置は装置奥側であるとする。
【００９７】
（格納方向判断部）
格納方向判断部６１３は、格納方向取得部６１２により取得されたインデックス紙の格納方向と、インデックス紙設定画面１４０にて設定入力された格納方向とが一致するか否かを判断する、本発明の「格納方向判断手段」の一例に相当する。
【００９８】
画像制御部６１０は、格納方向判断部６１３による判断結果に基づき、以下の［動作］の項で説明するような制御を実行する。
【００９９】
［動作］
以上のような構成を有する本実施形態の画像形成装置の動作の一例について、図１２のフローチャートを参照しつつ説明する。原稿画像は、既に入力されて画像メモリ６４に格納されているものとする。
【０１００】
まず、インデックス紙設定画面１４０をＬＣＤ７１に表示させ、タブ位置設定ボタン１４３、１４４のいずれかを選択的に押下して、インデックス紙のタブ位置（装置奥側／装置手前側）を設定入力する（Ｓ１）。また、ステープル位置設定画面１５０又は穿孔位置設定画面１６０を表示させ、ステープル位置又はパンチ位置（右／左）を設定入力する（Ｓ２）。ステップＳ１、Ｓ２にて設定された内容は、操作部７０から電気信号として操作Ｉ／Ｆ制御部６１６に送られる。
【０１０１】
ユーザは、給紙トレイ部５の任意の給紙トレイを引き出して、ステップＳ１にて設定入力したタブ位置となるようにインデックス紙を格納する（Ｓ３）。なお、最初にインデックス紙を格納し、それから、その格納方向（タブ位置）をインデックス紙設定画面１４０で入力するようにしてもよい。
【０１０２】
回転判断部６１１は、ステップＳ２にて設定入力されたステープル位置又はパンチ位置に基づき、原稿画像の画像データの１８０°回転の要否を判断する（Ｓ４）。
【０１０３】
回転不要と判断された場合（Ｓ４；Ｎ）、格納方向取得部６１２は、インデックス紙の適切な格納方向として「タブ位置＝装置奥側」を取得する（Ｓ５）。一方、回転必要と判断された場合には（Ｓ４；Ｙ）、適切な格納方向として「タブ位置＝装置手前側」を取得する（Ｓ６）。なお、回転必要と判断された場合、回転判断部６１１から画像回転部６１４に対して、原稿画像の画像データを１８０°回転させるように制御信号が送られる。
【０１０４】
格納方向判断部６１３は、ステップＳ１にて入力されたタブ位置（装置奥側／装置手前側）と、ステップＳ５又はステップＳ６にて取得された適切なタブ位置（装置奥側／装置手前側）とを比較する（Ｓ７）。
【０１０５】
ステップＳ１のタブ位置と適切なタブ位置とが一致する場合（Ｓ７；Ｙ）、画像形成装置は、ユーザからの要求に応じて、通常のように、画像メモリ６４に格納された原稿画像の画像データに基づいてインデックス紙に対する画像形成処理を行い、原稿画像が形成されたインデックス紙にステープル処理又はパンチ処理を施す（Ｓ８）。処理がなされたインデックス紙は、昇降排紙トレイ２３に排紙される。
【０１０６】
なお、本実施形態の穿孔手段１０は、記録紙ＣＰの搬送方向後側にパンチ穴を形成するようになっているので、搬送路切り替え板８Ａにより、インデックス紙をスイッチバックしてやる。それにより、搬送方向後側にタブがある向きで搬送されてきたインデックス紙を、搬送方向前側にタブがある向きで搬送するようにして穿孔手段１０に供給することができる。
【０１０７】
一方、ステップＳ１のタブ位置と適切なタブ位置とが一致しない場合（Ｓ７；Ｎ）、画像制御部６１は、当該インデックス紙に対する画像形成処理・後処理を禁止するとともに、操作Ｉ／Ｆ制御部６１６によりＬＣＤ７１に警告メッセージを表示させる（Ｓ９）。このとき、画像形成処理を行わない旨のメッセージ（たとえば「コピーできません」、「印刷できません」等）や、給紙トレイにおけるインデックス紙の格納方向を変更するよう指示するメッセージ（たとえば「タブ位置を変更してください」、「タブを装置奥側に配置させてください」、「タブを装置手前側に配置させてください」等）が表示される。
【０１０８】
［作用効果］
このように動作する本実施形態の画像形成装置の作用及び効果について説明する。
【０１０９】
以下、原稿画像の上方向を装置奥側に配置させるように原稿ＧＫが載置されているとして、本実施形態の作用を説明する。また、
【０１１０】
まず、パンチ位置を左側（左パンチ）に設定する場合において、タブを装置奥側に位置させてインデックス紙を給紙トレイ部５に格納したときには、画像データの回転は行わずにインデックス紙に画像を形成し、その搬送方向をスイッチバック逆転した後にパンチ穴を形成して排紙する。それにより、図１３（Ａ）に示すように、インデックス紙Ｐの画像形成面の左側にパンチ穴Ｈが形成され、原稿画像Ｇの上方向の位置にタブＰａが配置された、目的の出力物が得られる。
【０１１１】
同じくパンチ位置を左側（左パンチ）に設定する場合において、タブを装置手前側に位置させてインデックス紙を給紙トレイ部５に格納したときには、処理を行わずに警告メッセージが表示される。ユーザは、この警告メッセージに応じて、タブ位置を装置奥側に位置させるようにインデックス紙の格納方向を変更する。そして、ユーザが処理要求を再度入力すると、図１３（Ａ）に示すような目的の出力物が得られる。
【０１１２】
一方、パンチ位置を右側（右パンチ）に設定する場合において、タブを装置奥側に位置させてインデックス紙を給紙トレイ部５に格納したときには、処理を行わずに警告メッセージが表示される。ユーザは、この警告メッセージに応じて、タブ位置を装置手前側に位置させるようにインデックス紙の格納方向を変更する。そして、ユーザが処理要求を再度入力すると、画像データを１８０°回転させてインデックス紙に画像を形成し、その搬送方向をスイッチバック逆転した後にパンチ穴を形成して排紙する。それにより、図１３（Ｂ）に示すように、インデックス紙Ｐの画像形成面の右側にパンチ穴Ｈが形成され、原稿画像Ｇの上方向の位置にタブＰａが配置された、目的の出力物が得られる。
【０１１３】
同じくパンチ位置を右側（右パンチ）に設定する場合において、タブを装置手前側に位置させてインデックス紙を給紙トレイ部５に格納したときには、画像データを１８０°回転させてインデックス紙に画像を形成し、その搬送方向をスイッチバック逆転した後にパンチ穴を形成して排紙する。それにより、図１３（Ｂ）に示すような目的の出力物が得られる。
【０１１４】
なお、ステープルモードを実行する場合にも、同様に、目的の出力物を得ることが可能である。
【０１１５】
なお、従来の画像形成装置を用いた場合には、給紙トレイ部５におけるインデックス紙の格納方向を修正させずに処理を行ってしまう。したがって、パンチ位置を左側（左パンチ）に設定する場合において、タブを装置手前側に位置させてインデックス紙を給紙トレイ部５に格納したときには、図１４（Ａ）に示すように、パンチ穴Ｈは左側に形成されるものの、タブＰａが原稿画像Ｇの下方向の位置に配置された目的外の出力物が形成されることとなる。また、パンチ位置を右側（右パンチ）に設定する場合において、タブを装置奥側に位置させてインデックス紙を給紙トレイ部５に格納したときには、図１４（Ｂ）に示すように、パンチ穴Ｈは右側に形成されるものの、タブＰａが原稿画像Ｇの下方向の位置に配置された目的外の出力物が形成されてしまう。
【０１１６】
このように、本実施形態の画像形成装置によれば、ステープルモードやパンチモードなどの画像回転を伴うモードをインデックス紙の印刷出力に適用する場合において、形成される原稿画像の向きとタブの位置との関係が適正な出力物を得ることができる。
【０１１７】
また、給紙トレイ部５におけるインデックス紙の格納方向が適正でない場合に、そのまま処理を実行してしまう従来の構成とは異なり、警告メッセージを表示してユーザに格納方向を変更させるように指示するようになっているので、インデックス紙を浪費しなくて済む。
【０１１８】
［変形例］
以上で詳述した構成は、本発明に係る画像形成装置を好適に実施するための一構成例である。したがって、たとえば以下に説明するように、本発明の要旨の範囲内における任意の変形を適宜施すことが可能である。
【０１１９】
（変形例１）
上記実施形態では、インデックス紙のタブを原稿画像の上方向に位置させるように画像データ回転の要否を判断しているが、本発明はこれに限定されるものではない。すなわち、原稿画像の上方向にタブ位置を設けたい場合だけでなく、下方向にタブ位置を設けたい場合にも本発明は適用可能である。
【０１２０】
タブ位置を原稿画像の下方向に設けたい場合には、回転判断部６１１による画像データ回転の要否の判断を上記実施形態とは逆にする。たとえば、画像形成面に対してステープル位置又はパンチ位置が左側である場合には画像データの１８０°回転が必要であると判断し、右側である場合には画像データの回転は不要であると判断するように構成する。
【０１２１】
また、タブ位置を原稿画像の上方向にするか下方向にするかを切換可能に構成することも可能である。そのために、たとえば、出力物におけるタブ位置を設定するためのボタンを、インデックス紙設定画面１４０のタブ設定部１４２等に設け、そのボタンによる設定結果に応じて回転判断部６１１による判断を切り換えるように構成できる。
【０１２２】
（変形例２）
上記実施形態では、ステープル等の設定位置（右／左）に応じた画像データ回転の要否に基づいて適切なタブ位置を求めるとともに、あらかじめ設定入力されたインデックス紙の格納方向（タブ位置）が適切なタブ位置に一致するか判断することで、インデックス紙の格納方向の適否を判断している。
【０１２３】
このような格納方向の適否判断処理の変形例として、インデックス紙の格納方向（装置奥側／装置手前側）と、ステープル等の設定位置（右／左）との各組み合わせ毎に、格納方向の適否情報を含むテーブルデータを用いることができる。上記実施形態のケースにおいては、このテーブルデータは次のような情報を含むこととなる：（格納方向＝装置奥側）と（ステープル位置＝右）との組み合わせの適否情報は「不適切」、（格納方向＝装置奥側）と（ステープル位置＝左）との組み合わせの適否情報は「適切」、（格納方向＝装置手前側）と（ステープル位置＝右）との組み合わせの適否情報は「適切」、（格納方向＝装置手前側）と（ステープル位置＝左）との組み合わせの適否情報は「不適切」。
【０１２４】
（変形例３）
上記実施形態は、給紙トレイ部５におけるインデックス紙の格納方向をユーザが手入力するように構成されているが（図１２のフローチャートのステップＳ１参照。）、給紙トレイ部５における格納位置を自動検出する手段を設け、その検出結果に示す格納方向が適切であるか判断するように構成することも可能である。
【０１２５】
格納位置を自動検出する手段としては、たとえば、給紙トレイ部５にインデックス紙を格納したときにタブが配置されるべき各位置（奥側／手前側）を挟むように赤外線送信部と受信部を上下に設置することができる。それにより、赤外線が受信されない側がタブ位置であると判断することができる。また、タブが配置されるべき各位置にタッチセンサを設け、そのタッチセンサがオンになっている側にタブがあると判断するように構成してもよい。
【０１２６】
（その他の変形例）
上記実施形態では、画像形成装置のＬＣＤ７１に警告メッセージを表示させているが、特にクライアントＰＣ９０からのジョブについては、当該クライアントＰＣ９０に向けて警告メッセージを送信し、そのモニタ装置に表示させるように構成することもできる。それにより、ジョブを要求したユーザがクライアントＰＣ９０の前にいる場合に、そのジョブの実行が停止されていることを認識でき、迅速に対応することができる。
【０１２７】
インデックス紙の格納方向が適切でない場合に、警告メッセージを表示させるだけでなく、音声メッセージや警告音等を用いてユーザに報知を行うように構成することも可能である。
【図面の簡単な説明】
【０１２８】
【図１】本発明に係る画像形成装置の実施形態の概略構成を表す断面側面図である。
【図２】本発明に係る画像形成装置の実施形態のハードウェア構成の概略を表すブロック図である。
【図３】本発明に係る画像形成装置の実施形態の機能的構成の概略を表すブロック図である。
【図４】本発明に係る画像形成装置の実施形態による表示画面の概略を表す説明図である。
【図５】本発明に係る画像形成装置の実施形態による表示画面の概略を表す説明図である。
【図６】本発明に係る画像形成装置の実施形態による表示画面の概略を表す説明図である。
【図７】本発明に係る画像形成装置の実施形態による表示画面の概略を表す説明図である。
【図８】本発明に係る画像形成装置の実施形態による表示画面の概略を表す説明図である。
【図９】本発明に係る画像形成装置の実施形態による表示画面の概略を表す説明図である。
【図１０】本発明に係る画像形成装置の実施形態による表示画面の概略を表す説明図である。
【図１１】本発明に係る画像形成装置の実施形態による表示画面の概略を表す説明図である。
【図１２】本発明に係る画像形成装置の実施形態の動作を表すフローチャートである。
【図１３】本発明に係る画像形成装置の実施形態の作用を説明するための概略説明図である。図１３（Ａ）は、パンチ位置を左側に設定したときの出力物の一例を表している。図１３（Ｂ）は、パンチ位置を右側に設定したときの出力物の一例を表している。
【図１４】本発明に係る画像形成装置の実施形態の作用を従来の画像形成装置と比較して説明するための概略説明図である。図１４（Ａ）は、従来の画像形成装置においてパンチ位置を左側に設定したときの出力物の一例を表している。図１４（Ｂ）は、従来の画像形成装置においてパンチ位置を右側に設定したときの出力物の一例を表している。
【図１５】インデックス紙の形態を表す概略図である。
【符号の説明】
【０１２９】
１  画像読取部
２  画像処理部
２Ａ  制御部
３  画像書込部
４  画像形成部
５  給紙トレイ部
１０  穿孔手段
１４  ステープラ
６０  制御部
６１  画像制御部
６１０  判断部
６１１  回転判断部
６１２  格納方向取得部
６１３  格納方向判断部
６１４  画像回転部
６１５  印刷制御部
６１６  操作Ｉ／Ｆ制御部
６２  ＤＲＡＭ制御部
６４  画像メモリ
７０  操作部
７１  ＬＣＤ
８０  プリンタ部
１４０  インデックス紙設定画面
１４２  タブ設定部
１４３、１４４  タブ位置設定ボタン
１５０  ステープル位置設定画面
１６０  穿孔位置設定画面
ＧＨ  画像形成装置本体
ＦＳ  後処理装置
Ｐ  インデックス紙
Ｐａ  タブ
Ｇ  原稿画像
Ｈ  パンチ穴
【図１】
2007017704.tif 000003
【図２】
2007017704.tif 000004
【図３】
2007017704.tif 000005
【図４】
2007017704.tif 000006
【図５】
2007017704.tif 000007
【図６】
2007017704.tif 000008
【図７】
2007017704.tif 000009
【図８】
2007017704.tif 000010
【図９】
2007017704.tif 000011
【図１０】
2007017704.tif 000012
【図１１】
2007017704.tif 000013
【図１２】
2007017704.tif 000014
【図１３】
2007017704.tif 000015
【図１４】
2007017704.tif 000016
【図１５】
2007017704.tif 000017